(57)【要約】【課題】熟練工でなくても施工が容易な窓枠用コーナー材、窓枠構造および窓枠の施工方法を提供する。【解決手段】窓枠用コーナー材１０が入隅カバー部１１と縁部カバー部１２と挿入部１３とを有する。入隅カバー部１１は窓枠１の奥行の長さを有し、両縁部１１ａが入隅部３を挟む両側面に沿って配置される。縁部カバー部１２は、入隅カバー部１１の一端に一体的に設けられ、入隅カバー部１１の両縁部１１ａが入隅部３の両側面に沿って配置されたとき、窓枠１の正面側縁部を覆って折り返して窓枠１の出隅部に伸び、正面側縁部を保持する。挿入部１３は、入隅カバー部１１に一体的に設けられ、入隅カバー部１１の両縁部１１ａが入隅部３の両側面に沿って配置されたとき、窓枠１の入隅部３の隙間２に挿入される。【選択図】図６
2019218701.tif 000002
【特許請求の範囲】
【請求項１】
窓枠の隙間を有する入隅部に取り付けられる窓枠用コーナー材であって、
入隅カバー部と縁部カバー部と挿入部とを有し、
前記入隅カバー部は前記窓枠の奥行の長さを有し、前記入隅部を挟む両側面に沿って配置される両縁部を有し、
前記縁部カバー部は、前記入隅カバー部の前記両縁部が前記入隅部の前記両側面に沿って配置されたとき、前記窓枠の正面側縁部を覆って折り返して前記窓枠の出隅部に伸びて前記正面側縁部を保持可能に前記入隅カバー部の一端に一体的に設けられ、
前記挿入部は、前記入隅カバー部の前記両縁部が前記入隅部の前記両側面に沿って配置されたとき、前記窓枠の前記入隅部の前記隙間に挿入されるよう前記入隅カバー部に一体的に設けられていることを、
特徴とする窓枠用コーナー材。
【請求項２】
可撓性材料から成ることを、特徴とする請求項１記載の窓枠用コーナー材。
【請求項３】
請求項１または２記載の窓枠用コーナー材と、
枠状の窓枠下地と、
前記窓枠下地の正面に枠内にはみ出すよう固定された室内板と、
前記窓枠下地の枠内面および前記室内板の正面側縁部を覆い、入隅部に隙間をあけて前記窓枠下地に固定され、枠内面に背面側縁部に沿って凹んだ段差を有する窓枠とを有し、
前記窓枠用コーナー材は凸部を有し、前記凸部は前記入隅カバー部の前記縁部カバー部と反対側の端部から前記縁部カバー部と同じ側に突出しており、前記縁部カバー部が前記窓枠の前記正面側縁部を保持したとき前記段差と係合可能に前記入隅カバー部に一体的に設けられ、前記挿入部が前記隙間に挿入され、前記縁部カバー部が前記窓枠の前記正面側縁部を覆って保持し、前記凸部が前記段差と係合し、前記入隅カバー部の前記両縁部が前記入隅部を挟む前記両側面に沿って配置されていることを、
特徴とする窓枠構造。
【請求項４】
枠状の窓枠下地の内側に窓枠を取り付けるための窓枠の施工方法であって、
前記窓枠下地の正面に枠内にはみ出すよう室内板を固定する工程と、
前記窓枠下地の枠内面および前記室内板の正面側縁部を前記窓枠で覆い、前記窓枠を入隅部に隙間をあけるよう前記窓枠下地に固定する工程と、
請求項１または２記載の窓枠用コーナー材の前記挿入部を前記隙間に挿入し、前記縁部カバー部で前記窓枠の正面側縁部を覆って保持し、前記入隅カバー部の前記両縁部を、前記入隅部を挟む前記両側面に沿って配置する工程とを、
有することを特徴とする窓枠の施工方法。
【請求項５】
前記室内板は、石膏ボードの表面に壁紙を貼り付けた板、石膏ボードの表面に塗装した板または表面仕上げ済みパネルから成ることを、特徴とする請求項４記載の窓枠の施工方法。
【請求項６】
前記窓枠は枠内面に背面側縁部に沿って凹んだ段差を有し、前記窓枠用コーナー材は凸部を有し、前記凸部は前記入隅カバー部の前記縁部カバー部と反対側の端部から前記縁部カバー部と同じ側に突出しており、前記縁部カバー部が前記窓枠の前記正面側縁部を保持したとき前記段差と係合可能に前記入隅カバー部に一体的に設けられ、前記縁部カバー部で前記窓枠の前記正面側縁部を覆って保持するとき、前記凸部を前記段差と係合させることを、特徴とする請求項４または５記載の窓枠の施工方法。
【発明の詳細な説明】
【技術分野】
【０００１】
本発明は、窓枠用コーナー材、窓枠構造および窓枠の施工方法に関する。
【背景技術】
【０００２】
窓枠の施工は、一般的に、窓枠下地の枠内面に窓枠を固定し、窓枠下地の正面と窓枠との間に石膏ボードを取り付け、石膏ボードにクロスなどを貼り付けて行われている（例えば、特許文献１参照）。
【先行技術文献】
【特許文献】
【０００３】
【特許文献１】特開平９−２５０２７８号公報
【発明の概要】
【発明が解決しようとする課題】
【０００４】
しかしながら、特許文献１に記載の窓枠では、窓枠を精度よく施工する必要があるため、施工に熟練を要するという課題があった。
【０００５】
本発明は、このような課題に着目してなされたもので、熟練工でなくても施工が容易な窓枠用コーナー材、窓枠構造および窓枠の施工方法を提供することを目的とする。
【課題を解決するための手段】
【０００６】
上記目的を達成するために、本発明に係る窓枠用コーナー材は、窓枠の隙間を有する入隅部に取り付けられる窓枠用コーナー材であって、入隅カバー部と縁部カバー部と挿入部とを有し、前記入隅カバー部は前記窓枠の奥行の長さを有し、前記入隅部を挟む両側面に沿って配置される両縁部を有し、前記縁部カバー部は、前記入隅カバー部の前記両縁部が前記入隅部の前記両側面に沿って配置されたとき、前記窓枠の正面側縁部を覆って折り返して前記窓枠の出隅部に伸びて前記正面側縁部を保持可能に前記入隅カバー部の一端に一体的に設けられ、前記挿入部は、前記入隅カバー部の前記両縁部が前記入隅部の前記両側面に沿って配置されたとき、前記窓枠の前記入隅部の前記隙間に挿入されるよう前記入隅カバー部に一体的に設けられていることを、特徴とする。
本発明に係る窓枠用コーナー材は、可撓性材料から成ることが好ましい。可撓性材料としては、軟質プラスチック、シリコンゴムなどのゴム弾性を有する合成樹脂、天然ゴムなどが挙げられる。
【０００７】
本発明に係る窓枠構造は、本発明に係る窓枠用コーナー材と、枠状の窓枠下地と、前記窓枠下地の正面に枠内にはみ出すよう固定された室内板と、前記窓枠下地の枠内面および前記室内板の正面側縁部を覆い、入隅部に隙間をあけて前記窓枠下地に固定され、枠内面に背面側縁部に沿って凹んだ段差を有する窓枠とを有し、前記窓枠用コーナー材は凸部を有し、前記凸部は前記入隅カバー部の前記縁部カバー部と反対側の端部から前記縁部カバー部と同じ側に突出しており、前記縁部カバー部が前記窓枠の前記正面側縁部を保持したとき前記段差と係合可能に前記入隅カバー部に一体的に設けられ、前記挿入部が前記隙間に挿入され、前記縁部カバー部が前記窓枠の前記正面側縁部を覆って保持し、前記凸部が前記段差と係合し、前記入隅カバー部の前記両縁部が前記入隅部を挟む前記両側面に沿って配置されていることを、特徴とする。
【０００８】
本発明に係る窓枠の施工方法は、枠状の窓枠下地の内側に窓枠を取り付けるための窓枠の施工方法であって、前記窓枠下地の正面に枠内にはみ出すよう室内板を固定する工程と、前記窓枠下地の枠内面および前記室内板の正面側縁部を前記窓枠で覆い、前記窓枠を入隅部に隙間をあけるよう前記窓枠下地に固定する工程と、本発明に係る窓枠用コーナー材の前記挿入部を前記隙間に挿入し、前記縁部カバー部で前記窓枠の正面側縁部を覆って保持し、前記入隅カバー部の前記両縁部を、前記入隅部を挟む前記両側面に沿って配置する工程とを、有することを特徴とする。
本発明に係る窓枠の施工方法で、前記室内板は、石膏ボードの表面に壁紙を貼り付けた板、石膏ボードの表面に塗装した板または表面仕上げ済みパネルから成ることが好ましい。
【０００９】
本発明に係る窓枠の施工方法では、窓枠を、入隅部に隙間をあけて窓枠下地に固定する。隙間の幅は、窓枠用コーナー材により隙間が覆われる範囲で調整することができる。このため、窓枠の寸法精度は厳密でなくともよく、熟練工でなくても容易に施工することができる。また、窓枠下地に室内板を固定した後、窓枠下地に窓枠を固定するので、室内板を石膏ボードの表面に壁紙を貼り付けた板、石膏ボードの表面に塗装した板または表面仕上げ済みパネルで構成しておき、窓枠下地に窓枠を固定した後、窓枠用コーナー材の挿入部を入隅部の隙間に挿入することにより、工程数を減らして施工を容易にすることができる。
【００１０】
窓枠用コーナー材が可撓性材料から成る場合、入隅部の隙間が狭くても挿入部を挿入させやすく、また、入隅カバー部の両縁部を、入隅部を挟む両側面に沿わせやすく、縁部カバー部で窓枠の正面側縁部を覆いやすい。入隅カバー部に貫通孔を形成し、入隅部の隙間を利用して隙間から貫通孔を通して空気を窓側に吹き付け、結露を防止することもできる。
【００１１】
窓枠用コーナー材は、窓枠に着脱可能に取り付けられることが好ましい。
窓枠は、窓枠下地に固定されたとき、窓枠下地の正面から枠内にはみ出した室内板を収容する凹部を有することが好ましい。
窓枠用コーナー材の入隅カバー部は、両縁部が入隅部を挟む両側面に沿って配置されたとき挿入部と反対側の面に入隅部に沿って谷状に伸びる湾曲部を有し、両縁部が湾曲した横断面を有することが好ましい。
【００１２】
本発明に係る窓枠の施工方法において、前記窓枠は枠内面に背面側縁部に沿って凹んだ段差を有し、前記窓枠用コーナー材は凸部を有し、前記凸部は前記入隅カバー部の前記縁部カバー部と反対側の端部から前記縁部カバー部と同じ側に突出しており、前記縁部カバー部が前記窓枠の前記正面側縁部を保持したとき前記段差と係合可能に前記入隅カバー部に一体的に設けられ、前記縁部カバー部で前記窓枠の前記正面側縁部を覆って保持するとき、前記凸部を前記段差と係合させることが好ましい。この本発明に係る窓枠の施工方法により、本発明に係る窓枠構造を施工することができる。
本発明に係る窓枠構造では、窓枠用コーナー材の縁部カバー部が窓枠の正面側縁部を保持するとともに、凸部が窓枠の段差と係合しているので、窓枠用コーナー材が確実かつ着脱可能に窓枠の入隅部に取り付けられる。
【発明の効果】
【００１３】
本発明によれば、熟練工でなくても施工が容易な窓枠用コーナー材、窓枠構造および窓枠の施工方法を提供することができる。
【図面の簡単な説明】
【００１４】
【図１】本発明の実施の形態の窓枠用コーナー材の（Ａ）平面図、（Ｂ）正面図である。
【図２】図１に示す窓枠用コーナー材の（Ａ）左側面図、（Ｂ）右側面図、（Ｃ）背面図である。
【図３】図１に示す窓枠用コーナー材の（Ａ）底面図、（Ｂ）Ａ−Ａ’線断面図、（Ｃ）Ｂ−Ｂ’線断面図である。
【図４】図１に示す窓枠用コーナー材を用いた窓枠構造の斜視図である。
【図５】図４に示す窓枠構造の横断面図である。
【図６】図４に示す窓枠構造の窓枠の背面図である。
【発明を実施するための形態】
【００１５】
以下、図面に基づき、本発明の実施の形態について説明する。
図１〜図６は、本発明の実施の形態を示している。
本発明の実施の形態の窓枠用コーナー材１０は、図６に示すように、建物の窓枠１の隙間２を有する入隅部３に取り付けられる。窓枠１は、同じ幅の４枚の細長い板を各端部でそれぞれ直角に配置して構成される。窓枠１は、正面側縁部１ａと反対側の背面側縁部に沿って、枠内面に凹んだ段差１ｂを有している。図１〜図３に示す窓枠用コーナー材１０は、可撓性の合成樹脂から成り、入隅カバー部１１と縁部カバー部１２と挿入部１３と凸部１４とを有する。
【００１６】
図３および図４に示すように、入隅カバー部１１は、窓枠１の奥行の長さを有する長方形状の板を長さ方向に沿って中央で湾曲させて直角に折り曲げた形状を有している。入隅カバー部１１は、入隅部３を挟む両側面３ａ，３ａに沿って配置される両縁部１１ａを長さ方向に沿って有している。
【００１７】
縁部カバー部１２は、入隅カバー部１１の一端から出隅側に直角に伸びる端部１２ａと、端部１２ａから入隅カバー部１１と平行に伸びる折返し部１２ｂとから成る。縁部カバー部１２は、入隅カバー部１１の両縁部１１ａが入隅部３の両側面３ａ，３ａに沿って配置されたとき、端部１２ａで窓枠１の正面側縁部１ａを覆って、折り返して折返し部１２ｂが窓枠１の出隅部に伸びて正面側縁部１ａを保持可能に入隅カバー部１１の一端に一体的に設けられている。
【００１８】
挿入部１３は、窓枠１の奥行の長さを有する細長い長方形の板状であって、入隅カバー部１１の長さ方向に沿って入隅カバー部１１の出隅に設けられている。挿入部１３の両面１３ａ，１３ａから入隅カバー部１１の出隅側の面１１ｂ，１１ｂまでの２つの角度は、同一である。挿入部１３は、入隅カバー部１１の長さ方向に沿った両縁部１１ａが入隅部３の両側面３ａ，３ａに沿って配置されたとき、窓枠１の入隅部３の隙間２に挿入されるよう入隅カバー部１１に一体的に設けられている。
【００１９】
凸部１４は、入隅カバー部１１の縁部カバー部１２と反対側の端部から縁部カバー部１２と同じ側に突出している。凸部１４は、縁部カバー部１２が窓枠１の正面側縁部１ａを保持したとき段差１ｂと係合可能に入隅カバー部１１に一体的に設けられている。
【００２０】
本発明の実施の形態の窓枠の施工方法は、建物の枠状の窓枠下地４の内側に窓枠１を取り付けるための施工方法である。
まず、図５に示すように、窓枠下地４の正面４ａに、枠に沿って枠内にわずかに（例えば、５ｍｍ程度）はみ出すよう室内板５を固定する。室内板５は、例えば、石膏ボード５ａの表面に壁紙５ｂを貼り付けた板から成る。室内板５は、窓枠下地４に石膏ボード５ａを固定した後、その表面に壁紙５ｂを貼り付けて成っても、予め石膏ボード５ａの表面に壁紙５ｂを貼り付けた板から成ってもよい。室内板５は、石膏ボード５ａの表面に塗装した板または表面仕上げ済みパネルから成ってもよい。
【００２１】
次に、窓枠下地４の枠内面４ｂおよび室内板５の正面側縁部５ｃを窓枠１で覆い、窓枠１を入隅部３に隙間２をあけるよう窓枠下地４に固定する。窓枠１は、窓枠下地４に固定されたとき室内板５の正面側縁部５ｃに対向する位置に、窓枠下地４の正面４ａから枠内にはみ出した室内板５の正面側縁部５ｃを収容する溝部１ｃを有する。入隅部３の隙間２は、一定の幅である必要はない。
【００２２】
図６に示すように、窓枠用コーナー材１０の挿入部１３を隙間２に挿入する。そして、縁部カバー部１２で窓枠１の正面側縁部１ａを覆って保持し、凸部１４を窓枠１の段差１ｂと係合させる。入隅カバー部１１の両縁部１１ａを、入隅部３を挟む両側面３ａ，３ａに沿って配置する。入隅カバー部１１は、両縁部１１ａが入隅部３を挟む両側面３ａ，３ａに沿って配置されたとき、挿入部１３と反対側の面に入隅部３に沿って谷状に伸びる湾曲部１１ｃを有する。
こうして、本発明の実施の形態の窓枠構造を施工することができる。
【００２３】
本発明の実施の形態の窓枠の施工方法では、窓枠１を、入隅部３に隙間２をあけて窓枠下地４に固定する。隙間２の幅は、窓枠用コーナー材１０により隙間２が覆われる範囲で調整することができる。このため、窓枠１の寸法精度は厳密でなくともよく、熟練工でなくても容易に施工することができる。また、窓枠下地４に室内板５を固定した後、窓枠下地４に窓枠１を固定するので、室内板５を石膏ボードの表面に壁紙を貼り付けた板、石膏ボードの表面に塗装した板または表面仕上げ済みパネルで構成しておき、窓枠下地４に窓枠１を固定した後、窓枠用コーナー材１０の挿入部１３を入隅部３の隙間２に挿入することにより、工程数を減らして施工を容易にすることができる。
さらに、窓枠用コーナー材１０の縁部カバー部１２が窓枠１の正面側縁部１ａを保持するとともに、凸部１４が窓枠１の段差１ｂと係合しているので、窓枠用コーナー材１０が確実かつ着脱可能に窓枠１の入隅部３に取り付けられる。
【００２４】
窓枠用コーナー材１０は可撓性材料から成るため、入隅部３の隙間２が狭くても挿入部１３を挿入させやすく、また、入隅カバー部１１の両縁部１１ａを、入隅部３を挟む両側面３ａ，３ａに沿わせやすく、縁部カバー部１２で窓枠１の正面側縁部１ａを覆いやすい。入隅カバー部１１の挿入部１３付近に貫通孔を形成すれば、入隅部３の隙間２を利用して隙間２から貫通孔を通して空気を窓側に吹き付け、結露を防止することもできる。
【符号の説明】
【００２５】
１  窓枠
１ａ  正面側縁部
１ｂ  段差
１ｃ  溝部
２  隙間
３  入隅部
３ａ  両側面
４  窓枠下地
５  室内板
５ａ  石膏ボード
５ｂ  壁紙
５ｃ  正面側縁部
１０  窓枠用コーナー材
１１  入隅カバー部
１１ａ  両縁部
１２  縁部カバー部
１２ａ  端部
１２ｂ  折返し部
１３  挿入部
１４  凸部
【図１】
2019218701.tif 000003
【図２】
2019218701.tif 000004
【図３】
2019218701.tif 000005
【図４】
2019218701.tif 000006
【図５】
2019218701.tif 000007
【図６】
2019218701.tif 000008